(57)【要約】【課題】シールを使用しないことによりシールの交換を不要としたパイプ連結装置を提供すること。【解決手段】パイプ連結装置は、連結装置の一方の側のカプラ（オス）１０が、中央部分が貫通し、先端に近いほど径が小さくなる円錐の側面形状を有するテーパー面１６を備え、他方の側のカプラ（メス）が、前記テーパー面と嵌合する逆テーパー面を備える。また、カプラ同士を押圧する押圧手段を備える。このパイプ連結装置はシールを使用せず、テーパー面の圧接のみによって液密性を保つようにしたので、シールを交換する必要がなくなる。【選択図】    図１
2005009574.tif 000002
【特許請求の範囲】
【請求項１】
連結装置の一方の側が、中央部分が貫通し、先端に近いほど径が小さくなる円錐の側面形状を有するテーパー面を備え、
前記連結装置の他方の側が、中央部分が貫通し、前記テーパー面と嵌合する逆テーパー面を備えたことを特徴とするパイプ連結装置。
【請求項２】
連結装置の一方が取り付け金具にバネによって支持されていることを特徴とする請求項１に記載のパイプ連結装置。
【請求項３】
更に連結装置の一方を他方に押圧する押圧手段を備えたことを特徴とする請求項１に記載のパイプ連結装置。
【発明の詳細な説明】
【０００１】
【発明の属する技術分野】
この発明はパイプ連結装置に関し、特に、人が近づき難い環境において使用するのに好適なパイプ連結装置に関する。
【０００２】
【従来の技術】
従来、液体や気体を流すパイプを接続するために各種のパイプ連結装置が提案されている。例えば特開平９−９６３８７号公報には従来の管接続構造の一例が開示されている。
【０００３】
【発明が解決しようとする課題】
上記したような従来の一般的なパイプ連結構造においては、シール（パッキン）の材料としてゴムを主成分とする材質を使用していた。ところが、ゴムは放射線環境下において劣化するので、放射線環境下において従来のようなパイプ連結装置を使用する場合には、所定の期間毎にシールを交換する必要があり、シールの交換に多くの時間と費用がかかり、装置の稼働率も低下するという問題点があった。
【０００４】
また、交換のためには作業員がパイプ連結装置に接近する必要があるが、放射線環境下においては接近して長時間の作業を行うことが困難であるという問題点もあった。
この発明の目的は、上記したような従来技術の問題点を解決し、シールを使用しないことによりシールの交換を不要としたパイプ連結装置を提供することにある。
【０００５】
【課題を解決するための手段】
本発明のパイプ連結装置は、連結装置の一方の側が、中央部分が貫通し、先端に近いほど径が小さくなる円錐の側面形状を有するテーパー面を備え、前記連結装置の他方の側が、中央部分が貫通し、前記テーパー面と嵌合する逆テーパー面を備えたことを特徴とする。
【０００６】
この発明によれば、シールを使用せず、テーパー面の圧接のみによって液密性を保つようにしたので、シールを交換する必要がなくなる。
【０００７】
【発明の実施の形態】
以下、図面を参照しつつ、この発明の好適な実施例を詳述する。図１は、本発明のパイプ連結装置の一方を構成するカプラ（オス）１０の構造を示す断面図である。カプラ（オス）１０の本体は、中央に冷却液等の液体が流れる孔が設けられた略円筒形状をしており、材質としては例えばステンレス鋼等の金属が使用される。
【０００８】
カプラ（オス）１０の接続端部には、中央部分が貫通し、先端に近いほど径が小さくなる円錐の側面形状であるテーパー面からなるシール面１６が形成されている。またカプラ（オス）１０の反対側の端部である接続ポート１７の内側側面にはパイプを接続するためのネジ山が設けられている。
【０００９】
カプラ（オス）１０の接続端部近傍の外側側面には、ネジ山が形成されており、押し力調整ナット１４がこのネジ山に嵌合している。バネ座１３はカプラ（オス）１０の外側側面に摺動可能に係合しており、円周上に等間隔に配置された複数の押し力発生バネ１２によって、押し力調整ナット１４を介してカプラ（オス）１０を押圧している。
【００１０】
押し力発生バネ１２のバネ座１３と反対の側は取り付け金具１１に当接しており、取り付け金具１１はボルトによって移動台取り付け板１５に固着されている。また、取り付け金具１１とカプラ（オス）１０の間には所定の隙間（遊び）が設けられており、この隙間の範囲内においてカプラ（オス）１０の軸が移動あるいは傾斜することができる。
【００１１】
カプラ（オス）１０の接続ポート１７の部分は、取り付け金具１１の内径よりも径が大きく形成されており、図１のようにパイプ連結装置が分離されている場合には接続ポート１７の部分が取り付け金具１１に当接している。
【００１２】
図２は、本発明のパイプ連結装置の他方を構成するカプラ（メス）２０の構造を示す断面図である。カプラ（メス）２０は、やはり中央に冷却液等の液体が流れる孔が設けられた略円筒形状をしており、材質としては例えばステンレス鋼等の金属が使用される。カプラ（メス）２０はボルトによって固定台取り付け板２３に固着される。
【００１３】
カプラ（メス）２０の端部には中央部分が貫通し、先端に近いほど内径が大きくなる、前記したカプラ（オス）１０のテーパー面と嵌合する逆テーパー面からなるシール面２１が形成されている。またカプラ（メス）２０の反対側の端部である接続ポート２２の内側側面にはパイプを接続するためのネジ山が設けられている。
【００１４】
図３は、本発明の連結装置の押圧手段の一例を示す正面図である。また、図４は、本発明の連結装置の押圧手段の一例を示す平面図である。また、図５は、本発明の連結装置の押圧手段の一例を示す側面図である。
図示した押圧手段は、被冷却装置４０に固着されている冷却水供給および戻りの２個のカプラ（メス）２０に２個のカプラ（オス）１０を押圧した状態で保持し、あるいは分離させるための装置である。
【００１５】
２個のカプラ（オス）１０が固着された移動台３０は下部のガイドレール３５と嵌合しており、ガイドレール上を平行移動可能に構成されている。ガイドレール３５の端部には移動範囲を規制するストッパ３６が設けられている。
【００１６】
移動台３０にはナット３１が固着されており、このナット３１は送りネジ３２と嵌合している。そして送りネジ３２はネジ回転保持用ベアリングユニット３３によって回転可能に保持されている。従って、作業者が回転ハンドル３４を回動させることにより、移動台３０を前後に移動可能である。
【００１７】
パイプを連結する場合には、回転ハンドル３４を回動させることにより移動台３０を前方に移動させると、まずカプラ（オス）１０とカプラ（メス）２０のシール面同士が当接する。そこで更に移動台３０をストッパ３６に当たるまで前方に移動させると、押し力発生バネ１２が圧縮され、カプラ（オス）１０はカプラ（メス）２０に押しつけられる。このとき、カプラ（オス）１０の本体は取り付け金具１１との間の遊びの範囲内において軸の位置や傾斜を変化可能であるので、シール面同士が密着することができ、液密性が保たれる。
【００１８】
本発明の連結装置は、図１のカプラ（オス）１０と図２のカプラ（メス）２０とを直接ボルトにて連結／分離することによってパイプの連結／分離を行うことができるが、図３〜５に示したような押圧手段を使用することにより、離れた場所から容易かつ迅速にパイプの連結／分離が可能となる。
【００１９】
以上、本発明の実施例を開示したが、本発明には下記のような変形例も考えられる。実施例においてはシール面が円錐の側面形状である例を開示したが、接触面にラビリンス溝（軸を中心とする同心円状の溝）を施すようにしてもよい。このようにすれば、より液密性が向上する。
【００２０】
【発明の効果】
以上説明したように、この発明によれば、シールを使用せず、テーパー面の圧接のみによって液密性を保つようにしたので、シールの交換作業が不要となり、放射線環境下における作業量が削減され、作業者の保護が向上するという効果がある。また、被冷却装置の交換や保守の場合にもパイプの接続／分離作業が離れた場所から容易かつ迅速に実行でき、装置メンテナンスの時間と費用が削減されるという効果もある。
【図面の簡単な説明】
【図１】本発明のパイプ連結装置の一方を構成するカプラ（オス）１０の構造を示す断面図である。
【図２】本発明のパイプ連結装置の他方を構成するカプラ（メス）２０の構造を示す断面図である。
【図３】本発明の連結装置の押圧手段の一例を示す正面図である。
【図４】本発明の連結装置の押圧手段の一例を示す平面図である。
【図５】本発明の連結装置の押圧手段の一例を示す側面図である。
【符号の説明】
１０…カプラ（オス）、１１…取り付け金具、１２…押し力発生バネ、１３…バネ座、１４…押し力調整ナット、１５…移動台取り付け板、１６…シール面、１７…接続ポート、２０…カプラ（メス）、２１…シール面、２２…接続ポート、２３…固定台取り付け板、３０…移動台、３１…ナット、３２…送りネジ、３３…ネジ回転保持用ベアリングユニット、３４…回転ハンドル、３５…ガイドレール、３６…ストッパ、４０…被冷却装置
【図１】
2005009574.tif 000003
【図２】
2005009574.tif 000004
【図３】
2005009574.tif 000005
【図４】
2005009574.tif 000006
【図５】
2005009574.tif 000007